(57)【要約】  本発明は、衣料品やバゲッジなどの物品の開閉状態を監視するための電子回路の形態である監視装置に関連する。当該監視装置は、第一クロージャシステム（９）、電源（５）、第二クロージャシステム、および検出・伝達装置を備えている。第一クロージャシステム（９）は、電気的に接離可能な第一導電エレメント（６）と第二導電エレメント（７）を備えており、少なくとも当該第一導電エレメント（６）は中空体（６０）を有している。電源（５）は、中空体（６０）に収容されている。第二クロージャシステムは、第一端子と第二端子を備えている。検出・伝達装置は、第一クロージャシステム（９）が閉状態にあるときに駆動され、第二クロージャシステムの開閉状態を検出するように構成された検出モジュール、および当該検出モジュールによって検出された第二クロージャシステムの開閉状態に応じて信号を発するように構成された伝達モジュールを備えている。【選択図】図４
2018511134.tif 000002
【特許請求の範囲】
【請求項１】
衣料品やバゲッジなどの物品の開閉状態を監視するための電子回路の形態である監視装置であって、
電気的に接離可能な第一導電エレメント（６）と第二導電エレメント（７）を備えており、少なくとも当該第一導電エレメント（６）は中空体（６０）を有している第一クロージャシステム（９）と、
好ましくはボタン電池であり、前記中空体（６０）に収容されており、正極（５１）と負極（５２）を有しており、当該正極（５１）と当該負極（５２）の一方は前記第一導電エレメント（６）の前記中空体（６０）と接続されており、他方は前記中空体（６０）からの電気的絶縁手段を有するとともに前記中空体（６０）を貫通している導電要素（４５６）と接続されている電源（５）と、
第一端子（２１）および第二端子（２４）を備えている第二クロージャシステム（Ｉ５）と、
前記第一クロージャシステム（９）が閉状態にあるときに駆動され、前記第二クロージャシステム（Ｉ５）の開閉状態を検出するように構成された検出モジュール（４０）、および当該検出モジュール（４０）によって検出された前記第二クロージャシステム（Ｉ５）の開閉状態に応じて信号を発するように構成された伝達モジュール（４１）を備えている検出・伝達装置（４）と、
を備えている、
監視装置。
【請求項２】
前記第二クロージャシステム（Ｉ５）の前記第一端子（２１）は、前記電源（５）の前記正極（５１）を介して前記回路と電気的に接続されており、
前記第二クロージャシステム（Ｉ５）の前記第二端子（２４）は、前記検出モジュール（４０）の入力に接続されており、
前記伝達モジュール（４１）は、前記検出モジュール（４０）の出力と接続されている
請求項１に記載の監視装置。
【請求項３】
前記電源（５）の前記正極（５１）は、前記第一導電エレメント（６）の前記中空体（６０）と電気的に接続されており、
前記電源（５）の前記負極（５２）は、前記導電要素（４５６）と接続されている、
請求項１または２に記載の監視装置。
【請求項４】
前記検出モジュール（４０）は、前記第一クロージャシステム（９）の前記第二導電エレメント（７）によって前記電源（５）の前記正極（５１）を介して前記回路に接続された電源入力（Ｖｃｃ）を有している、
請求項３に記載の監視装置。
【請求項５】
前記第二クロージャシステム（Ｉ５）の前記第一端子（２１）は、前記第一クロージャシステム（９）の前記第二導電エレメント（７）と電気的に接続されている、
請求項３または４に記載の監視装置。
【請求項６】
前記検出モジュール（４０）の出力から検出信号が発せられる瞬間と前記伝達モジュール（４１）の起動との間に時間遅れを導入するように構成されたタイマモジュール（４２）を備えている、
請求項１から５のいずれか一項に記載の監視装置。
【請求項７】
前記検出モジュール（４０）は、前記第二クロージャシステム（Ｉ５）の前記第二端子（２４）に接続された入力端子、および前記伝達モジュール（４１）の入力に接続された出力端子を有する論理ＮＯＴゲートを備えている、
請求項２を引用する請求項３から６のいずれか一項に記載の監視装置。
【請求項８】
前記タイマモジュール（４２）は、前記論理ＮＯＴゲートと前記伝達モジュール（４１）の間に介挿されている、
請求項６または７に記載の監視装置。
【請求項９】
前記検出・伝達装置（４）は、マイクロプロセッサやマイクロコントローラのような処理・演算ユニット（４００）を備えており、
前記処理・演算ユニット（４００）は、前記検出モジュール（４０）を形成するコンピュータ命令群のセットを備えており、
前記処理・演算ユニット（４００）は、前記第二クロージャシステム（Ｉ５）の前記第二端子（２４）が接続された検出入力（ＤＩ）を備えており、
前記検出モジュール（４０）は、前記検出入力（ＤＩ）に適用された閾値よりも高い電圧を検出するように構成されている、
請求項１に記載の監視装置。
【請求項１０】
前記検出・伝達装置（４）は、前記処理・演算ユニット（４００）の出力に接続された伝達モジュール（４１）を備えている、
請求項９に記載の監視装置。
【請求項１１】
前記検出・伝達装置（４）は、前記第二クロージャシステム（Ｉ５）の開閉状態を表す情報を受信モジュール（８０）へ送信するように構成された無線通信モジュール（４４）を備えている、
請求項９または１０に記載の監視装置。
【請求項１２】
前記第二クロージャシステム（Ｉ５）は、解除可能に結合されるのに適した導電材料からなる二列のエレメント群を備えており、
一方の列のエレメント群が他方の列のエレメント群に結合された状態においては、両エレメント群の間に導通が確保され、
前記エレメント群の一つは、前記第二クロージャシステム（Ｉ５）の前記第一端子（２１）を形成しており、
前記エレメント群の別の一つは、前記第二クロージャシステム（Ｉ５）の前記第二端子（２４）を形成している、
請求項１から１１のいずれか一項に記載の監視装置。
【請求項１３】
前記第二クロージャシステム（Ｉ５）は、
それぞれに歯列（１１、１４、２０、…、２５）と称される導電材料からなるエレメント列が固定された二つのストリップ（１１１、１２１）と、
前記二つのスライダに沿って摺動可能に装着されており、一方向への摺動により一方の前記歯列を他方の前記歯列と噛合させ、他方向への摺動により前記歯列同士を離間させるように構成されたスライダと称されるエレメント（３）と、
を備えており、
前記歯列の一つは前記第一端子（２１）を形成しており、前記歯列の別の一つは前記第二端子（２４）を形成している、
請求項１から１２のいずれか一項に記載の監視装置。
【請求項１４】
前記第一端子（２１）と前記第二端子（２４）は、噛合状態にある前記歯列と平行な向きに当該歯列の少なくとも一つを挟んで離間している、
請求項１３に記載の監視装置。
【請求項１５】
前記第二クロージャシステム（Ｉ５）は、導電材料からなる二列のエレメント群（１１、１２、１３、１４、２１、２２、２３、２４）を備えており、
一方の列の前記エレメント群の各々は、他方の列の前記エレメント群の一つと結合・結合解除が可能であり、
前記エレメント群の一つは前記第一端子（２１）を形成しており、前記エレメント群の別の一つは前記第二端子（２４）を形成しており、
前記エレメント群が結合されると前記第一端子（２１）と前記第二端子（２４）の間に導通を確保するように構成された電気接続手段をさらに備えている、
請求項１から１４のいずれか一項に記載の監視装置。
【請求項１６】
前記第一端子（２１）と前記第二端子（２４）は、結合状態にある前記ボタンクロージャの前記二列のエレメント群と平行な向きに当該ボタンクロージャの少なくとも一つエレメント（２２、２３）を挟んで離間している、
請求項１５に記載の監視装置。
【請求項１７】
前記第一導電エレメント（６）と前記第二導電エレメント（７）は、ボタンと対応する小穴によって形成されている、
請求項１から１６のいずれか一項に記載の監視装置。
【請求項１８】
クロージャシステムが装着された開放可能部を備えている物品であって、
前記物品は、好ましくは前側の中央が開けるズボンや開けるポケットを備えたジャケットのような衣料品であり、
請求項１から１７のいずれか一項に記載の監視装置を備えており、
前記開放可能部に装着されたクロージャシステムは、前記第二クロージャシステムを形成している、
物品。
【請求項１９】
前記物品はズボンであり、
前記第一クロージャシステム（９）は、前記ズボンのウエストバンドの高さに位置するクロージャボタンである、
請求項１８に記載の物品。
【請求項２０】
クロージャシステムが装着された開放可能部を備えているバックパックのようなバゲッジであり、
請求項１から１７のいずれか一項に記載の監視装置を備えており、
前記開放可能部に装着されたクロージャシステムは、前記第二クロージャシステムを形成している、
バゲッジ。
【請求項２１】
物品の開放可能部を閉じるクロージャシステム（Ｉ５）用のキットであって、
請求項１から１７のいずれか一項に記載の監視装置を製造可能にするものであり、
電気的に接離可能な第一導電エレメント（６）と第二導電エレメント（７）を備えており、少なくとも当該第一導電エレメント（６）は中空体（６０）を有している第一クロージャシステム（９）と、
前記中空体（６０）に収容されており、正極（５１）と負極（５２）を有しており、当該正極（５１）と当該負極（５２）の一方は導電エレメント（６）の前記中空体（６０）と接続されており、他方は前記中空体（６０）からの電気的絶縁手段を有するとともに前記中空体（６０）を貫通している導電要素（４５６）と接続されている電源（５）と、
前記第一クロージャシステム（９）が閉状態にあるときに駆動され、前記クロージャシステム（Ｉ５）の開閉状態を検出するように構成された検出モジュール（４０）、および当該検出モジュール（４０）によって検出された前記クロージャシステム（Ｉ５）の開閉状態に応じて信号を発するように構成された伝達モジュール（４１）を備えている検出・伝達装置（４）と、
を備えている、
キット。
【発明の詳細な説明】
【技術分野】
【０００１】
本発明は、物品のクロージャシステムの開閉状態を監視する監視装置に関連する。当該物品の例としては、バッグ、バゲッジ、ズボン、半ズボン、スカートなどの衣類が挙げられる。本発明は、対応する物品にも関連する。
【背景技術】
【０００２】
バッグやバゲッジのような運搬具は、ジッパー型あるいはボタン型のクロージャシステムを備えている。バッグが開いたままである場合、あるいはバッグが不慮に開いた場合、内容物を失うおそれがある。同様に、バッグが開いていることを所有者が知らない場合、当該バッグの内容物が盗難されるおそれがある。
【０００３】
また、ズボンは、ジッパーまたはボタン型のクロージャシステムからなる前立てを有していることが普通である。前立てが開いたままであること、あるいは部分的に開いたことにズボンを履いている者がすぐに気づかない場合、第三者に対して恥ずかしい思いをするおそれがある。
【０００４】
特に欧州特許出願公開０３０３４８１号公報は、先行技術として、ジッパーまたはボタンクロージャシステムの監視を可能にする装置を開示している。欧州特許出願公開０３０３４８１号公報に記載された一実施形態において、監視装置は、二つのコネクタが設けられた検出・伝達装置を備えている。一方のコネクタは、ファスナクロージャの一方の歯列に接続されている。他方のコネクタは、当該ファスナクロージャの他方の歯列に接続されている。これらのコネクタが接続された歯列同士は、当該コネクタ同士が同じ高さになるように対向している。ジッパーが閉じた状態とされると、当該コネクタ同士が接触して電気回路が閉じられ、電源から電流が流れる。
【０００５】
この電流の流れは、検出・伝達装置によって検出され、それに基づいてジッパークロージャの開閉状態の推定と当該状態の伝達が可能である。
【０００６】
しかしながら、欧州特許出願公開０３０３４８１号公報に記載された装置は、十分に小型ではない。また、使用中に当該装置が劣化するリスク、あるいは当該装置が装着された物品の洗濯中に当該装置が劣化するリスクの低減が望まれている。
【発明の概要】
【発明が解決しようとする課題】
【０００７】
本発明の目的は、クロージャシステムを備えた物品の開閉状態を監視するための新規な装置を提供し、上述した問題の少なくとも一部を解決可能にすることである。
【課題を解決するための手段】
【０００８】
そのために本発明が提供するのは、衣料品やバゲッジなどの物品の開閉状態を監視するための電子回路の形態である監視装置であって、
電気的に接離可能な第一導電エレメントと第二導電エレメントを備えており、少なくとも当該第一導電エレメントは中空体を有している第一クロージャシステムと、
好ましくはボタン電池であり、前記中空体に収容されており、正極と負極を有しており、当該正極と当該負極の一方は前記第一導電エレメントの前記中空体と接続されており、他方は前記中空体からの電気的絶縁手段を有するとともに前記中空体を貫通している導電要素と接続されている電源と、
第一端子および第二端子を備えている第二クロージャシステムと、
前記第一クロージャシステムが閉状態にあるときに駆動され、前記第二クロージャシステムの開閉状態を検出するように構成された検出モジュール、および当該検出モジュールによって検出された前記第二クロージャシステムの開閉状態に応じて信号を発するように構成された伝達モジュールを備えている検出・伝達装置と、
を備えている。
【０００９】
一般的な電力供給スイッチを形成する第一クロージャシステム（例えばズボンのクロージャボタン）の中空体に収容された電源を有する監視装置は、第二クロージャシステム（前立てなど）が閉じていることを監視する装置から利益を得ることを可能にする。これにより、当該装置がコンパクトになり、第一クロージャシステムが閉じられているときにのみ電力が消費される。
【００１０】
本発明の有利な特徴として、
前記第二クロージャシステムの前記第一端子は、前記電源の前記正極を介して前記回路と電気的に接続されており、
前記第二クロージャシステムの前記第二端子は、前記検出モジュールの入力に接続されており、
前記伝達モジュールは、前記検出モジュールの出力と接続されている。
【００１１】
本発明の有利な特徴として、
前記電源の前記正極は、前記第一導電エレメントの前記中空体と電気的に接続されており、
前記電源の前記負極は、前記導電要素と接続されている。
【００１２】
本発明の有利な特徴として、
前記検出モジュールは、前記第一クロージャシステムの前記第二導電エレメントによって前記電源の前記正極を介して前記回路に接続された電源入力を有している。
【００１３】
本発明の有利な特徴として、
前記第二クロージャシステムの前記第一端子は、前記第一クロージャシステムの前記第二導電エレメントと電気的に接続されている。
【００１４】
本発明の有利な特徴として、
前記検出モジュールの出力から検出信号が発せられる瞬間と前記伝達モジュールの起動との間に時間遅れを導入するように構成されたタイマモジュールを備えている。
【００１５】
本発明の有利な特徴として、
前記検出モジュールは、前記第二クロージャシステムの前記第二端子に接続された入力端子、および前記伝達モジュールの入力に接続された出力端子を有する論理ＮＯＴゲートを備えている。
【００１６】
本発明の有利な特徴として、
前記タイマモジュールは、前記論理ＮＯＴゲートと前記伝達モジュールの間に介挿されている。
【００１７】
特定の実施形態においては、
前記検出・伝達装置は、マイクロプロセッサやマイクロコントローラのような処理・演算ユニットを備えており、
前記処理・演算ユニットは、前記検出モジュールを形成するコンピュータ命令群のセットを備えており、
前記処理・演算ユニットは、前記第二クロージャシステムの前記第二端子が接続された検出入力を備えており、
前記検出モジュールは、前記検出入力に適用された閾値よりも高い電圧を検出するように構成されている。
【００１８】
本発明の有利な特徴として、
前記検出・伝達装置は、前記処理・演算ユニットの出力に接続された伝達モジュールを備えている。
【００１９】
本発明の有利な特徴として、
前記検出・伝達装置は、前記第二クロージャシステムの開閉状態を表す情報を受信モジュールへ送信するように構成された無線通信モジュールを備えている。
【００２０】
本発明の有利な特徴として、
前記第二クロージャシステムは、解除可能に結合されるのに適した導電材料からなる二列のエレメント群を備えており、
一方の列のエレメント群が他方の列のエレメント群に結合された状態においては、両エレメント群の間に導通が確保され、
前記エレメント群の一つは、前記第二クロージャシステムの前記第一端子を形成しており、
前記エレメント群の別の一つは、前記第二クロージャシステムの前記第二端子を形成している。
【００２１】
特定の態様においては、前記検出・伝達装置は、「第一」伝達装置と称され、前記監視装置は、第二検出・伝達装置をさらに備える。第二検出・伝達装置は、まず前記第二クロージャシステムの第三エレメントに接続され、次いで前記第二クロージャシステムの第四エレメントに接続される。第二検出・伝達装置は、第三エレメントと第四エレメントの間の導通状態を検出し、検出された導通状態に応じて信号を発するように構成される。
【００２２】
一実施形態においては、
前記第二クロージャシステムは、
それぞれに歯列と称される導電材料からなるエレメント列が固定された二つのストリップと、
前記二つのスライダに沿って摺動可能に装着されており、一方向への摺動により一方の前記歯列を他方の前記歯列と噛合させ、他方向への摺動により前記歯列同士を離間させるように構成されたスライダと称されるエレメントと、
を備えており、
前記歯列の一つは前記第一端子を形成しており、前記歯列の別の一つは前記第二端子を形成している。
【００２３】
本発明の有利な特徴として、
前記第一端子と前記第二端子は、噛合状態にある前記歯列と平行な向きに当該歯列の少なくとも一つを挟んで離間している。
【００２４】
本発明の有利な特徴として、
前記第二クロージャシステムは、導電材料からなる二列のエレメント群を備えており、
一方の列の前記エレメント群の各々は、他方の列の前記エレメント群の一つと結合・結合解除が可能であり、
前記エレメント群の一つは前記第一端子を形成しており、前記エレメント群の別の一つは前記第二端子を形成しており、
前記エレメント群が結合されると前記第一端子と前記第二端子の間に導通を確保するように構成された電気接続手段をさらに備えている。
【００２５】
本発明の有利な特徴として、
前記第一端子と前記第二端子は、結合状態にある前記ボタンクロージャの前記二列のエレメント群と平行な向きに当該ボタンクロージャの少なくとも一つのエレメントを挟んで離間している。
【００２６】
本発明の有利な特徴として、
前記第一導電エレメントと前記第二導電エレメントは、ボタンと対応する小穴によって形成されている。
【００２７】
本発明は、クロージャシステムが装着された開放可能部を備えている物品も提供する。当該物品は、好ましくは前側の中央が開けるズボンや開けるポケットを備えたジャケットのような衣料品であり、前記監視装置を備えており、前記開放可能部に装着されたクロージャシステムは、前記第二クロージャシステムを形成している。
【００２８】
好ましくは、前記物品はズボンであり、前記第一クロージャシステムは、前記ズボンのウエストバンドの高さに位置するクロージャボタンである。
【００２９】
本発明は、クロージャシステムが装着された開放可能部を備えているバックパックのようなバゲッジも提供する。当該バゲッジは、前記監視装置を備えており、前記開放可能部に装着されたクロージャシステムは、前記第二クロージャシステムを形成している。
【００３０】
本発明は、物品の開放可能部を閉じるクロージャシステム用のキットも提供する。当該キットは、上記の監視装置を製造可能にするものであり、
電気的に接離可能な第一導電エレメントと第二導電エレメントを備えており、少なくとも当該第一導電エレメントは中空体を有している第一クロージャシステムと、
前記中空体に収容されており、正極と負極を有しており、当該正極と当該負極の一方は導電エレメントの前記中空体と接続されており、他方は前記中空体からの電気的絶縁手段を有するとともに前記中空体を貫通している導電要素と接続されている電源と、
前記第一クロージャシステムが閉状態にあるときに駆動され、前記クロージャシステムの開閉状態を検出するように構成された検出モジュール、および当該検出モジュールによって検出された前記クロージャシステムの開閉状態に応じて信号を発するように構成された伝達モジュールを備えている検出・伝達装置と、
を備えている。
【００３１】
添付の図面を参照してなされる以降の実施形態の説明を読むことにより、本発明はよりよく理解されうる。
【図面の簡単な説明】
【００３２】
【図１】本発明に係る監視装置に使用されるクロージャシステムの一実施形態に係るジッパークロージャの模式図である。
【図２】本発明に係る監視装置に使用されるクロージャシステムの一実施形態に係るボタンクロージャの模式図である。
【図２Ａ】図２のボタンクロージャに対応するスイッチを示す電気回路図である。
【図３】本発明に係るクロージャ監視装置の第一実施形態に対応する電気回路の模式図である。
【図４】本発明に係る監視装置の電気回路に電力を供給するためにクロージャボタンの中空体に収容されたバッテリの模式図である。
【図５】本発明に係るクロージャ監視装置の第二実施形態に対応する電気回路の模式図である。
【発明を実施するための形態】
【００３３】
上述のように、本発明は、ボタンクロージャやジッパークロージャのようなクロージャシステムＩ５の開閉状態を監視する監視装置に関連する。好ましくは、当該クロージャシステムＩ５は、閉じ直し可能な開口１０１を有する物品１００に装着される。例えば、当該物品は、詳しくは後述するようにバッグやズボンでありうる。
【００３４】
監視装置は、電気回路の形態である。監視装置は、クロージャシステムＩ５の開閉状態を検出および伝達する検出・伝達装置４も備えている。
【００３５】
電力供給装置５、９は、クロージャシステムＩ５の開閉状態を検出および伝達する装置４への電力供給を制御するためのものである。
【００３６】
上述のように、クロージャシステムＩ５は、物品１００に形成された開口１０１の少なくとも一部を閉じるためのものである。図１と図２においてより具体的に示されるように、物品１００は、開口の一縁を区画する部分１１０、および当該開口の対縁を区画する部分１２０を備えている。開口が閉じられた状態において、部分１１０と部分１２０によって区画される一対の縁は当接している。
【００３７】
一般に、クロージャシステムＩ５は、導電材料からなり相互に接離可能である二列のエレメント群を備えている。これにより、一方の列のエレメント群が他方の列のエレメント群と結合した状態において、エレメント群に沿って導通が確保される。逆に、エレメント群同士の結合が解除された状態においては、エレメント群の間の導通が失われる。
【００３８】
詳しくは後述するように、エレメント群の一つは第一端子２１を形成し、別の一つは第二端子２４を形成する。検出・伝達装置４は、電線や導電性の繊維線などの導電フィラメント要素４２１を介して第一端子２１と接続されており、別の導電フィラメント要素４２４を介して第二端子２４と接続されている。導電フィラメント要素４２４は、導電フィラメント要素４２１と同種のものでありうる。
【００３９】
実施形態に依らず、検出・伝達装置４は、第一端子２１と第二端子２４の間の導通の不在を検出し、導通の不在を示す信号を発するように構成されている。
【００４０】
図１に示される例においては、クロージャシステムＩ５は、二つのストリップを備えている。各ストリップには、導電材料からなる「歯」と称される一列のエレメント群１１、１２、１３、１４、２０、２１、２２、２３、２４、２５が固定されている。当該ストリップは、部分１１０、１２０に対応している。部分１１０、１２０は、両者の間に閉じ直し可能な開口１０１を区画している。
【００４１】
「スライダ」と称される要素３は、ストリップに沿って摺動可能に装着されている。スライダ３は、一方向へ摺動することで一方の列の歯を他方の列の歯と噛合させ、逆方向へ摺動することで当該歯同士を離間させるように構成されている。詳しくは後述するように、歯の一つは第一端子２１を形成しており、別の歯は第二端子２４を形成している。
【００４２】
上記の歯列同士が結合された状態にあるとき、第一端子２１と第二端子２４は、歯列に平行な向きに少なくとも一つの歯２２、２３を挟んで離間している。歯列同士の結合が解かれた状態にあるとき、少なくとも一つの歯２２、２３は、第一端子２１および第二端子２４のいずれとも導通していない。第一端子２１と第二端子２４が不慮の接触をするリスクを抑制するため、第一端子２１と第二端子２４は、二つ以上の歯によって離間していることが好ましい。
【００４３】
ストリップ１１０とストリップ１２０の各々は、織物のストリップなどの繊維片からなる。
【００４４】
図２に示される例においては、クロージャシステムＩ５は、導電材料からなる二列のエレメント群１１、１２、１３、１４、２１、２２、２３、２４を含むボタンクロージャを備えている。一方の列の各エレメントは、他方の列のエレメントに対して結合と離脱が可能である。図２に示される例においては、一方の列のエレメントはボタンであり、他方の列のエレメントは、当該ボタンと結合可能なもの（例えば、ボタンが通される小穴）である。
【００４５】
図２の実施形態においては、図１の実施形態と同様に、上記エレメント群の一つが第一端子２１を形成し、別の一つが第二端子２４を形成する。
【００４６】
装置は、上記のエレメント群が結合された際に第一端子２１と第二端子２４の間に導通を確立するように構成された電気接続手段も備えている。特に図２に示される例においては、小穴１１、１３が別の小穴１２、１４と電気的に接続され、ボタン２２は、ボタン２３と電気的に接続される。これにより、ボタンが小穴に結合された状態にあるとき、第一端子２１と第二端子２４の間に導通が確立する。小穴間およびボタン間の電気的接続は、小穴の周囲とボタンの周囲に塗布された導電インクを使用することにより提供されうる。図２Ａに示されるように、ボタン２１〜２４と小穴１１〜１４によって形成されたエレメント群は、電気的には直列に配列された複数のスイッチＩ１、Ｉ２、Ｉ３、Ｉ４として表現されうる。
【００４７】
実施形態に依らず、検出・伝達装置４は、第一端子２１と第二端子２４の間の導通状態を検出し、検出された導通状態に対応する信号を発するように構成される。
【００４８】
特にジッパークロージャの場合、それぞれ第一端子２１または第二端子２４に接続された第一フィラメント要素４２１または第二フィラメント要素４２４は、クロージャシステムＩ５の少なくとも一つの隣接する要素２０、２５にも接続されることが好ましい。この場合、当該少なくとも一つの隣接する要素と第一端子２１または第二端子２４は、同じエレメント列の部品として形成されうる。
【００４９】
第一フィラメント要素４２１と第二フィラメント要素４２４は、それぞれ第一端子２１と第二端子２４に接続され、好ましくは少なくとも一つの隣接エレメントに接続される。当該接続は、フィラメント要素４２１、４２４の端部を、それぞれ第一端子２１または第二端子２４に巻き付けることにより、好ましくは当該隣接エレメントにも巻き付けることによりなされる。
【００５０】
第一端子２１と第二端子２４は、同じエレメント列の部分を形成すると有利である。そのような装置の構成は、導電フィラメント要素４２１、４２４を開口１０１の一方の側にのみ延ばすことを可能にする。これにより、物品の周囲にフィラメント要素を這い回して開口１０１の他方の側に至らせるような必要性を回避できる。あるいは、第一端子２１が二つの歯列の一方の一部を形成し、第二端子２４が他方の歯列の一部を形成するように設けられてもよい。
【００５１】
電力供給装置は、クロージャシステム９を含んでいる。クロージャシステム９は、電気的に接離可能な第一エレメント６と第二エレメント７を備えている。クロージャシステム９は、スイッチを形成している。当該スイッチは、当該エレメント同士が結合状態にあるとき（すなわち電気的に接続しているとき）に閉じられ、当該エレメント同士が非結合状態にあるとき（すなわち電気的に接続されていないとき）に開かれる。クロージャシステム９は、「電源」クロージャシステムとも称される。詳しくは後述するように、クロージャシステム９は、電源５と検出・伝達装置４の間の電気スイッチを形成するからである。
【００５２】
図４に示されるように、第一エレメント６は、中空体６０を備えている。中空体６０は、組立てと分解が可能な複数の部品からなる。中空体６０は、螺合あるいは弾性変形（クリッピングやスナップ留めなど）により組み立てられうる二つの部品からなると有利である。
【００５３】
第一エレメント６は、導電材料からなる。図示された例においては、第二エレメント７もまた導電性である。
【００５４】
好ましくは、第一エレメント６と第二エレメント７は、雄雌型である。具体的には、図４に示される例の場合、第一エレメント６は、中空ヘッド６０とペグ６１を有するボタンである。第二エレメント７は、導電手段７２を有する小穴７１を備えている。例えば、小穴７１は、第一エレメント６を挿入するための開口を有する物品の繊維領域によって形成される。導電手段７２は、導電インクにより形成されうる。図４に示される例においては、導電インク７２が小穴７の内縁に沿って塗布されている。ボタン６と小穴７が結合状態にあるとき、ペグ６１が当該内縁に接触する。
【００５５】
第一エレメント６と第二エレメント７が結合状態にあるとき、第一エレメント６は、中空体６０とペグ６１の少なくとも一方を介して導電手段７２に接触する。第二エレメント７は、導電手段７２と導通している導電エレメントによって、回路の残りの部分とも接続されうる。当該導電エレメントは、導電インクのラインあるいは好ましくは絶縁された電線でありうる。
【００５６】
あるいは、第二エレメント７は、物品の対応する箇所に装着された穿孔済みの導電フィルムや導電板でありうる。あるいは、第一エレメント６がホックの雄部分であり、第二エレメント７が当該ホックの雌部分であってもよい。図４に示される例においては、第一エレメント６を形成するクロージャボタンは、物品の第一部分１１０に固定されている。第二エレメント７を形成する小穴は、物品の第二部分１２０に形成されている。
【００５７】
好ましくは、第一部分１１０と第二部分１２０の間に設けられた開口１０１は、第一エレメント６と第二エレメント７を結合させ、クロージャシステムＩ５を閉じることによって閉じ直しが可能である。そのため、物品の第一部分１１０が第一エレメント６を支持している場合、当該物品の第二部分１２０に第二エレメント７が設けられる。あるいは、第一エレメント６が第二部分１２０に設けられ、第二エレメント７が第一部分１１０に設けられてもよい。
【００５８】
特定の実施形態においては、前記の物品は、ズボンである。その場合、第一エレメント６は、当該物品のウエストバンドボタン（ズボン頂部のウエストバンドの高さに位置するボタン）である。その場合、第一エレメント６は、ズボン前部かつウエストバンドの高さに位置するクロージャボタンでありうる。このクロージャボタンは、前立ての頂部に位置していることが普通である。対応する第二エレメント７は、ウエストバンドの前部の高さ、前立ての上方、かつ脚の脇に位置している。
【００５９】
ズボンを履くと、ユーザは前立てを閉じ、ウエストバンドボタンを対応する補完エレメントに装着する。当該前立てがクロージャシステムＩ５によって形成されている場合、後述する本発明に係る装置は、前立てが閉じられていない状態を検出し、それを伝達するように機能する。当該装置は、前立てが閉じられている状態を検出し、それを伝達するようにも構成されうる。
【００６０】
電源５は、第一エレメント６の中空体６０に収容されている。好ましくは、図４に示されるように、電源５はボタン電池型のバッテリである。
【００６１】
図４に示される例においては、電源５は、正極５１を有している。正極５１は、第一エレメント６の中空体６０と電気的に接続されている。例えば、正極５１は、中空体６０に対して押圧されることにより電気的に接続される。その場合、中空体６０は、スプリング６３を収容しうる。スプリング６３は、正極５１の中空体６０に対する押圧状態を維持する。
【００６２】
電源５は、負極５２も有している。負極５２は、電線４５６に接続されている。電線４５６は、第一エレメント６の中空体６０を通過している。電線４５６は、絶縁被覆を備えており、中空体６０と導通しない。負極５２は、絶縁板６２などによって、中空体６０から絶縁されている。
【００６３】
図４に示された例においては、電源５は、ボタン電池である。正極は当該ボタン電池の一主面と側面により形成され、負極は別主面によって形成されている。負極は、絶縁ガスケットにより正極から絶縁されている。
【００６４】
図３は、監視装置の一実施形態を示している。当該装置は、図５を参照して詳細に後述する実施形態と比較して安価なエレメント群からなる。
【００６５】
図３の実施形態において、クロージャシステムＩ５の第一端子２１は、クロージャシステム９によって電源５の正極５１と電気的に接続されている。具体的には、クロージャシステムＩ５の第一端子２１は、線７２と接続された導電線４２１によってクロージャシステム９の第二エレメント７と電気的に接続されている。上述のように、第一エレメント６は、電源５の正極５１と電気的に接続されている。クロージャシステムＩ５の第二端子２４は、導電線４２４によって検出モジュール４０の入力と接続されている。
【００６６】
クロージャシステム９とクロージャシステムＩ５は、検出モジュール４０の入力と直列接続されたスイッチを形成している。また、図３に示される例においては、クロージャシステム９は、検出モジュール４０の電源Ｖｃｃ用のスイッチを構成している。
【００６７】
検出モジュール４０は、入力端子と出力端子を有する論理ＮＯＴゲートである。入力端子は、クロージャシステムＩ５の第二端子２４と接続されている。出力端子は、タイマモジュール４２に接続されている。タイマモジュール４２からの出力は、伝達モジュール４１の入力に接続されている。伝達モジュール４１は、導電フィラメント要素４５６を介して電源５の負極に接続された端子を有している。伝達モジュール４１は、電力が入力されると音、振動、光信号、または無線信号を発するように構成された電気的または電子的部材によって形成されうる。よって、伝達モジュール４１は、発光ダイオード（ＬＥＤ）によって形成されうる。
【００６８】
論理ＮＯＴゲートは、電源５の正極５１と接続された電力入力Ｖｃｃも有している。具体的には、電源入力Ｖｃｃは、スイッチ９が閉じられたときのみ検出モジュール４０に電力が供給されるように、第二エレメント７に接続されている。
【００６９】
この場合、スイッチ９とクロージャシステムＩ５が閉じられると、電源５と検出モジュール４０の入力端子の間に形成された電気回路に電力が供給される。
【００７０】
すると論理ＮＯＴゲートからの出力は０状態になり、伝達モジュール４０に電力が供給されることを防ぐ。逆にクロージャシステムＩ５が開かれると、電源５と検出モジュール４０の入力端子の間に形成された電気回路には電力が供給されず、検出モジュール４０からの出力は１状態となる。これにより、伝達モジュール４１へ電力が供給され、クロージャシステムＩ５が閉じられていないことを表す信号を（好ましくは所定の遅延を伴って）発する。
【００７１】
好ましくは、検出モジュール４０と伝達モジュール４１の間に介挿されたタイマモジュール４２は、検出モジュール４０の出力端子から検出信号が発せられる（ＮＯＴゲートの出力が１状態に対応）瞬間と伝達モジュール４１を起動する瞬間との間に遅延を生じさせるように構成される。
【００７２】
抵抗Ｒ０は、装置の適切な動作を可能とするように、回路に介挿されている。
【００７３】
図３の例と対比される図５に示される例においては、電源５が有する正極は、クロージャシステム９の第一エレメント６と接続されている。本例においては、検出・伝達装置４は、電子回路とコンピュータの少なくとも一方からなる処理・演算ユニット４００を備えている。図５に示される例においては、当該ユニットは、マイクロコントローラである。あるいは、当該ユニットは、マイクロプロセッサとその周辺メモリでありうる。当該マイクロコントローラのメモリに格納される形で、コンピュータ命令群が検出モジュール４０を形成している。タイマモジュール４２もまた、当該ユニットにより実行可能に格納された命令群によって形成されている。
【００７４】
導電フィラメント要素７２は、第二エレメント７を処理・演算ユニット４００の電力入力Ｖｃｃに接続している。第一端子２１は、電源５の正極に接続されている。クロージャシステムＩ５の第二端子２４は、デジタル検出入力ＤＩに接続されている。デジタル検出入力ＤＩには、クロージャシステムＩ５の第二端子２４が接続されている。検出モジュール４０は、検出入力に適用される閾値よりも高い電圧を検出するように構成されている。そのため、検出入力ＤＩとクロージャシステムＩ５の第二端子は、抵抗Ｒ１を介して接地されている。これにより、スイッチＩ５が閉状態にあるとき、検出モジュール４０は、電源５の電圧を、抵抗Ｒ１の端子間電圧として検出する。
【００７５】
検出された電圧は、処理・演算ユニット４００の電力入力Ｖｃｃ、クロージャシステムＩ５、および検出入力ＤＩの間の電気回路の閉状態に対応する。
【００７６】
図５に示される例においては、伝達モジュール４１の端子の一つは、処理・演算ユニット４００の出力ＤＯに接続されており、別の端子は、抵抗Ｒ２を介して接地されている。抵抗Ｒ２は、伝達モジュール４１の適切な動作を可能にする仕様とされている。
【００７７】
出力ＤＯは、デジタル入力ＤＩの状態に応じて伝達モジュール４１を動作させたり停止させたりする。図５に示されるように、伝達モジュール４１は、ＬＥＤでありうる。当該ＬＥＤのアノードは出力ＤＯに接続され、カソードは抵抗Ｒ２を介して接地される。
【００７８】
検出・伝達装置４は、無線通信モジュール４４を備えていると有利である。無線通信モジュール４４は、クロージャシステムＩ５による検出状態を外部受信モジュール８０へ送信するように構成されている。例えば、外部受信モジュール８０は、スマートフォンやタブレットのような携帯電子機器８の一部を形成している。携帯機器８は、コンピュータアプリケーションを備えている。コンピュータアプリケーションは、クロージャシステムＩ５の開閉状態を、視覚的、聴覚的、あるいは触覚的に伝達するように構成されている。図５に示されるように、無線通信モジュール４４は、通信バスによって処理・演算ユニット４００に接続されうる。無線通信モジュール４４は、クロージャシステム９が閉状態にあるとき、電源５によって駆動される。
【００７９】
電源５の正極が第一エレメント６の中空体に接続されていることにより、検出モジュール４０用のスイッチを形成するための第一エレメント６と第二エレメント７の協働を可能にしている。これにより、例えばズボンの前立てを形成しているクロージャシステムＩ５が開かれているときや、例えばズボンのウエストバンドボタンを形成しているクロージャシステム９が閉じられていないときに、電源５からエネルギーが消費されることを回避できる。
【００８０】
実施形態に依らず、伝達モジュールは、音声信号、振動信号、および光信号の少なくとも一つを発することができる。
【００８１】
監視装置は、検出・伝達装置４を防水するように構成された封止手段を備えている。好ましくは、クロージャシステム９もまた防水である。
【００８２】
検出モジュール、タイマモジュール、通信モジュール、および伝達モジュールの少なくとも一つは、電子コンポーネントの形態とコンピュータプログラムの形態の少なくとも一方とされうる。コンピュータプログラム群またはコンピュータ命令群、実行可能なプログラム群は、プログラム記憶装置（コンピュータが読み取り可能なデジタルデータ記憶媒体など）に格納されうる。プログラム群または命令群は、プログラム記憶周辺装置からも実行されうる。
【００８３】
監視装置は、前側中央が開くズボンや、開くポケットを備えたジャケットなどの開閉可能な部分を有する衣料品と一体にされうる。
【００８４】
監視装置は、バックパックなどの開閉可能な部分を有するバゲッジと一体にされうる。
【００８５】
少なくとも一つのストラップを有する物品（バックパックなど）に設けられうるクロージャシステム９は、電気的に接離可能かつ物品（ストラップなど）のユーザに当接する側に配置される第一エレメント６と第二エレメント７を備える。その場合、第一エレメント６と第二エレメント７は、プッシュボタンのように、物品がユーザに携帯されている間当該物品の重量で一方を他方に押圧することによって電気的接触が確保されるように構成される。
【００８６】
換言すると、バックパックなどのユーザにより携帯される物品については、第一エレメント６と第二エレメント７を備えるクロージャシステムは、当該物品がユーザによって携帯されている状態になると自動的に閉じ、第一エレメント６と第二エレメント７が導通するように構成されうる。当該システムは、重力下でユーザに押し付けられるクロージャシステム９によって閉じられうる。あるいは、第一エレメント６と第二エレメント７は、電気的接続が解除される位置に付勢されうる。
【００８７】
監視装置は、上述のように二列のエレメント群を備えたクロージャシステムのキットの形態で提供されうる。当該キットは、第一導電フィラメント要素４２１および第二導電フィラメント要素４２４とともに導通状態を検出・伝達する検出・伝達装置４を備えている。第一導電フィラメント要素４２１と第二導電フィラメント要素４２４は、導電材料要素（ジッパークロージャやボタンクロージャなど）を検出・伝達装置４に接続するためのものである。これにより、検出・伝達装置４が開状態を検出・伝達するように機能するクロージャシステムの第一端子と第二端子を形成する。
【００８８】
本発明に係る少なくとも一つの実施形態が例示および説明されたが、当業者にとって明らかな改変や置き換えが可能であり、開示された主題の範囲を超えなければ、変更が可能である。
【００８９】
本願は、上述の実施形態の全ての適応と変形を網羅することを目的としている。また、「備えている」という語は、他の要素やステップを排除する意味ではなく、「一つの」という語は、複数の場合を排除する意味ではない。さらに、上述した実施形態の一つを参照して説明された特徴やステップは、上述した他の実施形態の特徴やステップと同等に組み合わせて用いられうる。
【図１】
2018511134.tif 000003
【図２】
2018511134.tif 000004
【図２Ａ】
2018511134.tif 000005
【図３】
2018511134.tif 000006
【図４】
2018511134.tif 000007
【図５】
2018511134.tif 000008
【国際調査報告】
2018511134.tif 000009
2018511134.tif 000010
2018511134.tif 000011
2018511134.tif 000012